(57)【要約】      （修正有）【課題】呼吸と共に水素を鼻腔から吸入できる水素吸引装置を提供する。【解決手段】上側のマイナス電極２２と下側のプラス電極２３とに挟まれた高分子膜２４を備えた水の電解ユニット５を底部寄りに配した本体容器３内に、マイナス電極２２の上には水素室Ａを、プラス電極２３の下から水素室Ａの外側にかけては酸素室Ｂを、水素室Ａの外側から酸素室Ｂの外側にかけてはポンプ室Ｃを夫々独立させて形成し、水素室Ａに鼻腔カニューレ２１を接続し、酸素室Ｂにオゾンガスから酸素ガスへ変換させる接触材１０を介して本体容器３外に開口させた酸素排出管１１を接続し、ポンプ室Ｃ内のエアーポンプ８に水素室Ａ内の水位より上方に先端部７ａを開口させた送気管７を接続し、水素室Ａとポンプ室Ｃとの間にポンプ室Ｃの方向のみに開く逆止弁６を配設し、エアーポンプ８で水素室Ａ内に発生した水素を鼻腔カニューレ２１から強制的に吐出できるようにする。【選択図】図１
2018183527.tif 000002
【特許請求の範囲】
【請求項１】
上側のマイナス電極と下側のプラス電極とに挟まれた高分子膜を備えた水を電解する電解ユニットを底部寄りに配した本体容器を備えた吸引装置において、
前記マイナス電極の上には上部に鼻腔カニューレのチューブを接続すると共に電解用の水と水中に浮上する水素を受け入れる水素室を、前記プラス電極の下から前記水素室の外側にかけては水中に浮上する酸素を受け入れる酸素室を、前記水素室の外側から前記酸素室の外側にかけてはエアーポンプと該エアーポンプで圧送するための気体を収納可能なポンプ室を、夫々形成し、
前記酸素室の上部に、オゾンガスから酸素ガスへ変換させる接触材を介して前記本体容器外に先端部を開口させた酸素排出管を接続し、
前記ポンプ室内に収納した前記エアーポンプに、前記水素室内に注入した水の水位より上方に先端部を開口させた送気管を直接接続し、
前記水素室とポンプ室との間に、前記鼻腔カニューレを通過する水素の管内流出抵抗力より強い圧力で該ポンプ室の方向に開く逆止弁を配設し、
前記エアーポンプから前記送気管を通して送り出される気体の圧力で前記水素室内の気圧を高めて前記電解ユニットで発生させた水素を前記鼻腔カニューレから強制的に吐出できるようにしたことを特徴とする水素吸引装置。
【請求項２】
本体容器の外壁面に、電源用のＤＣジャックを固設し、該ＤＣジャックに、電解ユニットの両電極へ電流を送る電線と、エアーポンプへ電流を送る電線とを、直接又は電流制御部を介して接続したことを特徴とする請求項１に記載の水素吸引装置。
【請求項３】
オゾンを酸素に変換させる接触材に、シリカゲル、活性炭及びオリーブオイルのうちのいずれかを用いたことを特徴とする請求項１又は２に記載の水素吸引装置。  
【請求項４】
酸素排出管の先端部を本体容器の外壁面下部に開口させたことを特徴とする請求項１から３のうちのいずれかに記載の水素吸引装置。
【請求項５】
送気管の先端部に水素室の方向に開く逆止弁を配設したことを特徴とする請求項１から４のうちのいずれかに記載の水素吸引装置。
【請求項６】
酸素室内の側壁に上限とする位置に水位上限センサーを設けると共に下限とする位置に水位下限センサーを設け、該水位上限センサーと水位下限センサーとを水位警告回路を介してブザー、ランプ等で警告を発するポンプ室内に設けた警告部に接続したことを特徴とする請求項１から５のうちのいずれかに記載の水素吸引装置。
【発明の詳細な説明】
【技術分野】
【０００１】
本発明は水素吸引装置に関する。
【背景技術】
【０００２】
近年、スポーツ分野において、水素の肺への吸引が、激しい運動によって生じる筋肉内の乳酸の発生を押えて持久力を高める効果があるとされ、注目を受けている。
水素は、水道等の水を使用することで電気分解により何処でも得ることが可能となるが、本発明者が先に提案した下記特許文献１のポータブル型の水素水生成装置は、持ち運びし易いものの水素の発生量が少なく、このため鼻を押えて鼻腔に差し込んだチューブから強く吸い込まないと水素を十分に吸引することができなかった。
【先行技術文献】
【特許文献】
【０００３】
【特許文献１】実用新案登録第３１９８７０４号公報
【発明の概要】
【発明が解決しようとする課題】
【０００４】
本発明者は当初、電解ユニットの数を増やして水素の発生量を増加させれば、呼吸しつつ鼻腔カニューレで容易に水素が吸引できるのではないかと単純に考えたが、試作してみると、電解ユニットの数を増やしても水素の流出量を大きく増やすことができず、結果的には呼吸と同時に鼻腔カニューレによる肺への十分な量の水素の吸引が困難であった。
そこで本発明は、単に何処へでも自由に持運びして水素を吸引できるだけではなく、呼吸と同時に十分な量の水素を鼻腔カニューレで自然に吸引することが可能となる卓上型の水素吸引装置を提供することを目的とする。
【課題を解決するための手段】
【０００５】
上記目的を達成するために、本発明の水素吸引装置は、上側のマイナス電極と下側のプラス電極とに挟まれた高分子膜を備えた水を電解する電解ユニットを底部寄りに配した本体容器を備えた吸引装置において、前記マイナス電極の上には上部に鼻腔カニューレのチューブを接続すると共に電解用の水と水中に浮上する水素を受け入れる水素室を、前記プラス電極の下から前記水素室の外側にかけては水中に浮上する酸素を受け入れる酸素室を、前記水素室の外側から前記酸素室の外側にかけてはエアーポンプと該エアーポンプで圧送するための気体を収納可能なポンプ室を、夫々形成し、前記酸素室の上部に、オゾンガスから酸素ガスへ変換させる接触材を介して前記本体容器外に先端部を開口させた酸素排出管を接続し、前記ポンプ室内に収納した前記エアーポンプに、前記水素室内に注入した水の水位より上方に先端部を開口させた送気管を直接接続し、前記水素室とポンプ室との間に、前記鼻腔カニューレを通過する水素の管内流出抵抗力より強い圧力で該ポンプ室の方向に開く逆止弁を配設し、前記エアーポンプから前記送気管を通して送り出される気体の圧力で前記水素室内の気圧を高めて前記電解ユニットで発生させた水素を前記鼻腔カニューレから強制的に吐出できるようにしたことを特徴とする。
【０００６】
請求項２に記載の発明は、上記発明において、前記本体容器の外壁面に、電源用のＤＣジャックを固設し、該ＤＣジャックに、電解ユニットの両電極へ電流を送る電線と、エアーポンプへ電流を送る電線とを、直接又は電流制御部を介して接続したことを特徴とする。
【０００７】
請求項３に記載の発明は、上記発明において、前記オゾンを酸素に変換させる接触材に、シリカゲル、活性炭及びオリーブオイルのうちのいずれかを用いたことを特徴とする。  
【０００８】
請求項４に記載の発明は、上記発明において、前記酸素排出管の先端部を本体容器の外壁面下部に開口させたことを特徴とする。
【０００９】
請求項５に記載の発明は、上記発明において、前記送気管の先端部に水素室の方向に開く逆止弁を配設したことを特徴とする。
【００１０】
請求項６に記載の発明は、上記発明において、前記酸素室内の側壁に、上限とする位置に水位上限センサーを設けると共に下限とする位置に水位下限センサーを設け、該水位上限センサーと水位下限センサーとを水位警告回路を介してブザー、ランプ等で警告を発するポンプ室内に設けた警告部に接続したことを特徴とする。
【発明の効果】
【００１１】
本発明は、何処へでも自由に持運びができ、水素の吸引に際し、電解ユニットで発生されて水素室に収容された水素が、前記エアーポンプの圧力で水素室に接続した鼻腔カニューレから鼻腔に向かって強制的に吐出されるため、吸引者は呼吸する際に自然に水素を肺へ吸引することが可能となる。
そして、稼働初期にはポンプ室内の空気が、前記エアーポンプによって水素室に混入して水素濃度が一時的に低下するが、水素室とポンプ室との間に設けた逆止弁によって、使用時間の経過と共に水素室の水素の一部がポンプ室に流入し続けてやがて充満し、この結果、高い水素濃度の水素が鼻腔カニューレから吐出さるようになり、必要とした量の水素を効果的に体内に取り込むことが可能となる。
また、電解ユニットで発生された酸素がオゾンとして酸素室に溜まるが、オゾンを酸素に変換させる接触材の間を通過させることでオゾンは無臭の酸素となって外部に排出されるため、オゾンの悪臭の装置周囲への拡散が解消される。
【００１２】
請求項２に記載の発明においては、外部の家庭用の電源に接続した直流アダプターを、前記本体容器に設けたＤＣジャックを介して、電解ユニットの両電極とエアーポンプへ確実に給電可能となる。
そして、電解ユニットではその給電された電気による電解によって確実に水素が得られ、又、エアーポンプの稼働でポンプ室内の気体を水素室へ圧送することが可能となる。
なお、別にバッテリを携帯すれば、そのバッテリをＤＣジャックに接続して、電気のない山奥などの場所でも本装置の使用が可能となる。
【００１３】
請求項３に記載の発明においては、オゾンを酸素に変換させる接触材としてシリカゲルを用いることで、オゾンが外部に排出される際に確実に酸素に変換され、この結果、オゾンの悪臭の装置周囲へ拡散が確実に防止可能となる。
又、接触材として活性炭又はオリーブオイルを用いる場合でも同じくオゾンの悪臭を取り除くことができる。
【００１４】
請求項４に記載の発明においては、前記酸素排出管の先端部を本体容器の外壁面下部に開口させたことで、オゾンが漏れても、漏れる場所が鼻からより遠い位置となるので、臭いが鼻に届き難くなる。
【００１５】
請求項５に記載の発明においては、前記送気管の先端部に逆止弁を設けるたことで、前記エアーポンプに接続させた送気管の先端部が、容器本体が傾いたり揺れたりして仮令水素室内に注入した水の水位より下方となって沈んだとしても、水素室内の水が送気管から浸入するのが防止でき、水がエアーポンプを故障の原因となることはない。
【００１６】
請求項６に記載の発明においては、水素室と酸素室の水位は容器本体の外部からが見えないので、どの水位まで水が注入できたか不安になるが、前記酸素室内の側壁に水位上限センサーと水位下限センサーによって、過不足時にはブザー、ランプ等による警告が発せられるので、安心して注水することができる。
【図面の簡単な説明】
【００１７】
【図１】本発明の内部構造を示す縦断側面図である。
【図２】本発明の内部構造を示す水平平面図である。
【図３】本発明の外観を示す斜視図である。
【図４】電解ユニット部分の要部を示す縦断側面図である。
【発明を実施するための形態】
【００１８】
本発明の水素吸引装置を、以下図面を参照して説明する。
本発明の水素吸引装置は、図３に示すように、本体容器３内で水を電気分解して、発生させた水素を外部に送り出す構造を有する本体部分と、その本体部分に接続して水素を使用者の鼻腔まで導いて呼吸と同時に吸引させる鼻腔カニューレ２１とからなる。
本体部分は大人１人が楽に持ち運び可能な重量とし、卓上で使用できる程度の大きさとするが、その重量や大きさを特に限定するものではない。  
本体部分を構成する本体容器３及びその内部に使用する材料は、電解用の水を使用し、酸素発生側にはオゾンが発生するのでプラスチック等の耐腐食性の素材を使用する。
【００１９】
本発明の本体部分は、図１及び図２に示すように、上側のマイナス電極２２と下側のプラス電極２３で上下両側から挟まれた高分子膜２４を備えた水を電解する電解ユニット５を本体容器３内の底部寄りに配する。
そして、該電解ユニット５の上には、電解用の水と水中に浮上する水素を受け入れる水素室Ａを、該電解ユニット５の下から水素室Ａの外側にかけては、水中に浮上する酸素を受け入れる酸素室Ｂを、前記水素室Ａの外側から酸素室Ｂの外側にかけては、エアーポンプ８と該エアーポンプ８で圧送するための気体を収納可能なポンプ室Ｃを、夫々独立させて形成する。
【００２０】
即ち、前記本体容器３内には、図１及び図２に示すように、壁面で仕切たれた水素室Ａ、酸素室Ｂ及びポンプ室Ｃの三つの独立した空間を形成する。
各空間を仕切る壁面は、内部に水を貯蔵するので外側の本体容器３の底面３ｂの材質と同じプラスチック等の耐腐食性の材料を使用する。
なお、図２の水平断面図では、外側の本体容器３及び内側の各仕切り壁を同心円の円筒形とした例を示しているが、円筒形を同心円に配置を限定するものではなく、又形状を円筒形に限定するものではない。各仕切り壁で三つの独立した空間ができれば良いので、形状は楕円形や四角形等であっても良い。
【００２１】
そして、前記電解ユニット５は、水中の高分子膜２４の表面に対して両電極２２、２３に電圧が加わると水の電気分解により、該高分子膜２４の表面の上側のマイナス電極２２側には水素が発生し、高分子膜２４の表面の下側のプラス電極２３側には酸素が発生するものを使用する。
例えば、電解ユニット５は、図２及び図３に示すように、上面と底面とが開放された平面視四角形の枠型を成すケーシング２７内に、直流電源に接続可能な上側と下側の網状のマイナス電極２２とプラス電極２３で挟まれた薄い高分子膜２４を備えた電解ユニット５を使用することができる。
【００２２】
図２は、平面視が四角形を成すケーシング２７を４個繋げたものを使用し、該ケーシング２７内の夫々に電解ユニット５を備えた態様を示すもので、図１に示すように、各ケーシング２７内には高分子膜２４を上下で挟んだ上側のマイナス電極２２と、下側のプラス電極２３を重なり合わせて収納する。
電解ユニット５の高分子膜２４は、イオンの通過を規制するイオン交換機能を有する薄高分子膜２４からなるもの（例えば、デュポン社製の「ナフィオンＮａｆｉｏｎ」が選択される）で、四角形枠状のケーシング２７を閉塞する大きさの四角形のものを使用する。
該高分子膜２４については、例えば、前記デュポン社製の「ナフィオンＮａｆｉｏｎ」を選択すると、厚さが１２７〜１８３μｍ程度の薄い膜体が使用できる。
【００２３】
前記電解ユニット５のプラスとマイナスの電極２３、２２は、チタンを基材として白金メッキを施した線材を菱形の網状に組んだものが使用でき、高分子膜２４の両表面の全面に渡って接触させて高分子膜２４の上と下に積層する。
該電解ユニット５は上側のマイナスの電極２２と下側のプラスの電極２３に挟まれた高分子膜２４に電流を流せば水を電気分解して高分子膜２４の表面の上側からは水素を、下側からは酸素を上下別々に発生させることができる。
【００２４】
該電解ユニット５を使用すれば、例えば、図４に示す電解ユニット５部分は、ケーシング２７内の上部にコイルスプリング２８を配し、マイナスの電極２２の上から圧縮状態に通電性のコイルスプリング２８で挟まれた高分子膜２４に対して圧接させ、更に、該コイルスプリング２８の上側と前記プラス電極２３の下側とを通電性の棒状挟持体２５、２６で挟んで上下で押えるように固定したものが使用できる。なお、前記通電性のコイルスプリング２８をケーシング２７内のプラスの電極２３の下側に配する態様も可能である。
そして、前記通電性の棒状挟持体２５、２６は、夫々電線１２、１３を介して電源に接続させる。図４中の符号３０はケーシング２７を水素室Ａの底部に固定するための固定ネジ３０であり、該固定ネジ３０に固定した棒状挟持体２５、２６に電線１２、１３を接続する。
なお、本発明では、電解ユニット５の数や形状は上記実施例に限定されるものではない。
【００２５】
次に、前記水素室Ａ、酸素室Ｂ及びポンプ室Ｃの各室の構造を更に詳しく説明する。
前記水素室Ａは、図１及び図２に示すように、外周面１ｃが円筒形の直立させた縦筒体１内に形成する。
該縦筒体１は前記本体容器３の底面３ｂから底面１ｂを上に離して浮かせると共に上部の中央から上面１ａを上に突出させた状態で、前記本体容器３の中央上部に形成した縦筒体固定部３ｄに前記外周面１ｃの上部を固定する。
そして、該縦筒体１の底面１ｂには円形の開口部２９を４個設け、各開口部にマイナス電極２２を上側にした前記電解ユニット５を夫々開口部２９を塞ぐように装着する。
【００２６】
又、前記縦筒体１の上面１ａには水素吐出孔４及び注水口１８を設ける。
そして、前記注水口１８には、密閉が可能な蓋１９を被着する。該注水口１８は、電気分解や蒸発で減少した水Ｗを所定の水位Ｌ１になるように補充するための孔である。
又、前記水素吐出孔４には、上に接続用の管を前記縦筒体１の上面１ａに一体的に突出形成し、この管に鼻腔カニューレ２１のチューブ２１ｃの基端部のコネクタ２１ｄを接続する。
該鼻腔カニューレ２１は鼻腔装着部２１ａのノズル２１ｂを使用者の鼻腔に向けて装着して使用されることとなる。
【００２７】
次に前記酸素室Ｂについて説明する。
前記酸素室Ｂは、図１及び図２に示すように、前記縦筒体１の外側の前記本体容器３内の空間を前記本体容器３の底面３ｂから下部２ｂを立ち上げた円筒形の隔壁２で仕切って、前記縦筒体１の下側及び外側の外壁面と該隔壁２及び前記本体容器３の底面３ｂとの間に前記縦筒体１の下側から該縦筒体１の外側にかけて連続した一体の空間に形成する。
なお、縦筒体１の底面１ｂからは電解ユニット５の隙間を通して前記水素室Ａと前記酸素室Ｂとが通水可能となり、前記水素室Ａの水Ｗは前記酸素室Ｂへ流入するが、縦筒体１の底面１ｂに通水可能な隙間がない場合には、前記酸素室Ｂへ繋がる注水口設けて水Ｗが一定水位Ｌ２まで満たされるように注入することもできる。
【００２８】
又、前記隔壁２の上部２ａには、下部に前記酸素室Ｂに向けて下側が開いた酸素排出孔９を設けたオゾン反応室２０を前記縦筒体１の外周面１ｃを取り巻くように設けて前記酸素室Ｂの上面を閉鎖する。
そして、該オゾン反応室２０の上部を本体容器３外に先端部１１ｂを開口させた酸素排出管１１の基端部１１ａに接続する。
又、該オゾン反応室２０内にはオゾンガスから酸素ガスへ変換させる接触材１０を充填する。
【００２９】
即ち、電気分解で電解ユニット５の下側に発生した酸素及びオゾンは酸素室Ｂに溜まって増加し、前記酸素室Ｂ内の圧力が高まるとオゾンは酸素排出孔９を通ってオゾン反応室２０内へ移動し、オゾン反応室２０に充填された接触材１０の隙間を通過する間に酸素となり、無臭化されて酸素排出管１１内へ移動し、酸素排出管１１の先端部１１ｂの開口部から本体容器３の外へと排出される。
このため、装置周囲にはオゾン特有の悪臭が発生しない。
前記オゾンガスから酸素ガスへ変換させる接触材１０は各素材があるが、そのうちでもシリカゲル、活性炭及びオリーブオイルのうちのいずれかを使用すると効果的である。
なお、オリーブオイルを使用する場合には液体が酸素室Ｂに流れ出さないように、オゾン反応室２０へ入る通路に逆止弁を設ける。
【００３０】
次にポンプ室Ｃについて説明する。
前記ポンプ室Ｃは、図１及び図２に示すように、前記酸素室Ｂを形成する隔壁２と前記縦筒体１の外側にかけた壁面と前記本体容器３の外周側面３ａ及び前記本体容器３の底面３ｂとの間に、エアーポンプ８と該エアーポンプ８で圧送するための気体を収納可能とし、該ポンプ室Ｃの上部は上面３ｃを覆う板面で塞いで、ポンプ室Ｃの周囲は気密状態に密閉し、該ポンプ室Ｃを独立した空間に形成する。
【００３１】
該ポンプ室Ｃ内にはエアーポンプ８を配設し、該エアーポンプ８には、水素室Ａの水位Ｌ１より上に先端部７ａを開口させた送気管７の基端部７ｂを接続する。
先端部７ａを水素室Ａの水位Ｌ１より上に開口させたのは送気管７内に水が浸入しないようにしてエアーポンプ８が水で濡れるのを防ぎ、水濡れによるエアーポンプ８の故障の原因をなくすためである。
又、送気管の先端部に水素室の方向に開く逆止弁３３を設けることでも、水素室Ａの水が送気管７内に浸入しないようにすることが可能となる。
【００３２】
又、前記水素室Ａとポンプ室Ｃとの間に、鼻腔カニューレ２１を通過する水素の管内流出抵抗力よりも強い圧力で該ポンプ室Ｃの方向のみに開く逆止弁６を配設する。
なお、送気管７は、図１に示すように、水素室Ａの底部に設けた送気管支持部３１を貫通して水素室Ａの上部に達するように前記酸素室Ｂ内を貫通させて設けることができるが、水素室Ａの底ではなく前記縦筒体１の外周面１ｃを直接貫通させて前記酸素室Ｂに係わることなく設置することも可能である。
【００３３】
又、前記水素室Ａと酸素室Ｂ内の水位Ｌ１、Ｌ２は容器本体３が不透明であると外部からが見えないので、注水した水の量を確認するのが難い。
このため、酸素室Ｂ内の側壁に水位の上限とする位置に水位上限センサー３４を設けると共に水位の下限とする位置に水位下限センサー３５を設け、該水位上限センサー３４と水位下限センサー３５とを水位警告回路３７を介してブザー、ランプ等で警告を発するポンプ室Ｃ内に設けた警告部３６に接続した形態が可能である。
この形態では、警告を頼りに水素室Ａへ水Ｗを安心して注水することができる。
又、使用中に蒸発や電気分解で水が水位下限を下まわった場合にも警告が発せられるので、その時に適宜注水することができる。
なお、水位Ｌ１の上限の限界は、水位Ｌ１が送気管７の開口した先端部７ａに水位Ｌ１が届かない位置となる限界水位であり、水位Ｌ１の下限の限界は、前記電解ユニット５の全てが水没にはならない位置となる限界水位であるが、その限界数位に届かないように余裕を持って水位上限及び水位下限を任意に設定する。
【００３４】
以上で前記水素室Ａ、酸素室Ｂ及びポンプ室Ｃの各室の構造を説明したが、次に電気の供給で稼働する電解ユニット５及びエアーポンプ８への給電について説明する。
図４に示すように、前記電解ユニット５のマイナス電極２２とプラス電極２３が前記通電性の棒状挟持体２５、２６を介して電線１２、１３に接続し、図３に示すように、該電線１２、１３は本体容器３の外に向けて装着したＤＣジャック１５を介して直流電源の電源線３２に接続する。
又、図２に示すように、直流モーター内蔵のエアーポンプ８は電線１６、１７に接続し、該電線１６、１７は前記ＤＣジャック１５を介して直流電源の電源線３２に接続する。
なお、各電線１２、１３、１６、１７には、コントロール回路基板１４ａ、スイッチ等を備えた制御部１４を備えた態様が可能である。
なお、図１中、前記水位上限センサー３４及び水位下限センサー３５に接続する警告部３６及び水位警告回路３７は省略した。
【００３５】
上記の如き構造の本発明は、前記水素室Ａ内に水を一定の水位Ｌ１に注入し、前記電解ユニット５及びエアーポンプ８に電源を接続して使用するが、使用に際して、直流に通電させた電解ユニット５の高分子膜２４の上側のマイナス電極２２側に発生した水素は、気泡状態で水素室Ａの水中を浮上し、水素室Ａの上部に溜まる。
そして、水素室Ａにはエアーポンプ８から送気管７を通して送り出される気体の圧力が加わって水素ガスが加圧され、水素室Ａの上部に接続した鼻腔カニューレ２１から水素が強制的に吐き出される。
その際、エアーポンプ８のあるポンプ室Ｃの気体はエアーポンプ８で減圧されるがポンプ室Ｃの方向のみに開く逆止弁６を通って水素室Ａ内の水素の一部が流入する。
そして、逆止弁６からの水素の流入により、稼働初期を除いて水素室Ａ内の水素は空気との混合で薄められることはなく、水素室Ａ内の水素とポンプ室Ｃ内の水素とが混合されて濃度の高い水素が鼻腔カニューレ２１から吐出されることとなる。
この濃度の高い水素ガスは呼吸に伴い、顔面に装着した鼻腔カニューレ２１から自然に肺へ吸入されることとなる。
【００３６】
（実験例）
エアーポンプ８を稼働させることによって  濃度の高い水素が鼻腔カニューレ２１から吐出されることを確認するため試験を行った。
前記鼻腔カニューレ２１はチューブ２１ｃの長さが１．８ｍの通常使用されている一般的な医療用鼻腔カニューレ２１を使用した。
そして、鼻腔カニューレ２１にある２つのノズル２１ｂのうち一つはクリップで閉鎖し、開いている一方のノズル２１ｂの先端から該ノズルの先端方向へ５ｍｍ離れた位置にガス検知器の吸引タッチメントを置いて測定した。
その結果、下記表１に示す数値が得られた。
【００３７】
【表１】
2018183527.tif 000003
【００３８】
この実験では、上記表１に示すように、４個の電解ユニット５を使用した場合には１３Ｖの電圧で３．３ｖｏｌ/％の濃いガス濃度の水素がエアーポンプ８で毎分４００ｍｍｌの量で吐出させることができた。
しかし、エアーポンプ８を稼働させないで測定した結果は、水素濃度が０．１ｖｏｌ/％とエアーポンプ８を稼働させたときの２０分の１程度の極めて低い値となり、この量では鼻腔カニューレ２１を用いた呼吸に伴う肺への充分な量の水素を吸引することができないことが確認された。
【００３９】
又、電解ユニット５の使用個数を２個から４個に倍増させた場合、エアーポンプ８を稼働させないで測定した結果は、水素濃度が０．１２ｖｏｌ/％と２個の場合より０．０２ｖｏｌ/％しか増えず、エアーポンプ８を稼働させたときの数値３．３ｖｏｌ/％よりも３０分の１程度の極めて低い値となっており、この少ない量では鼻腔カニューレ２１を用いた呼吸に伴う肺への充分な量の水素が吸引はできないことが確認できた。
このことは、単に電解ユニット５の使用個数を増加させただけでは、発生した水素はノズルの先端から５ｍｍの至近距離であっても、水素は鼻腔カニューレ２１のノズル２１ｂの先端方向へ向かわずに鼻腔外に漏れ出すように拡散して殆どが失われてしまい、充分な量の水素を鼻腔方向へ吐出させることができないことを意味している。
【００４０】
次に、本発明の使用方法について説明する。
本発明は、使用に当っては、先ず、蓋１９を外して注水口１８から水素室Ａ内に水を注入しておく。水の量は、水が管内に浸入しないように送気管７の先端部７ａが水没しない水位Ｌ１までとする。
その際、縦筒体１の底面１ｂからは電解ユニット５の隙間を通して水素室Ａと酸素室Ｂとが通水され、水素室Ａの水が酸素室Ｂへと流入するので、酸素室Ｂも水が一定の水位Ｌ２に保たれる。
なお、不透明な容器本体３では、内部の水位Ｌ１、Ｌ２は外部からが見えないので、酸素室Ｂ内の側壁に上限とする位置に水位上限センサー３４を設けると共に下限とする位置に水位下限センサー３５を設けた形態を使用すれば、水位が上限と下限に到るとブザー、ランプ等で警告を出すようにするこができるので、安心して注水が行えるようになる。
【００４１】
そして、ＤＣジャック１５に接続した直流アダプターを家庭用交流電源に接続すると、前記電解ユニット５及びエアーポンプ８に電流が流れる、
この結果、水の電気分解が起こり、電解ユニット５の上側のマイナス電極２２側には高分子膜２４の上側表面から水素が発生し、下側のプラス電極２３側には高分子膜２４の下側表面から酸素が発生する。
そして、高分子膜３２の上側に発生した水素は水中で気泡となって上昇し、水素室Ａの空間に溜まる。
一方、高分子膜３２の下側に発生した酸素は高分子膜３２に妨げられて高分子膜３２の上側へは通過できないので水素室Ａに入ることなく、ケーシング２７の下側にオゾンなって溜まり、増えるに従ってオゾンは水中で気泡となって上昇し、酸素室Ｂの上部の空間に溜まる。
【００４２】
その後このオゾンは、オゾンを酸素に変換させる接触材１０と接触して無臭化された酸素の状態で外部に排出される。
その際、酸素排出管１１の先端部１１ｂを本体容器３の外壁面の下部に開口させれば、接触材１０が劣化して機能が低下したとしても使用する場所から離れるのでオゾン臭が緩和される。
【００４３】
又、水素室Ａの空間に溜まった水素はエアーポンプ８の稼働で、稼働当初は前記ポンプ室Ｃ内にある空気が送気管７から前記水素室Ａ内に送り出され、その空気が水素室Ａの水素と混合されて鼻腔カニューレ２１へ送り出され鼻腔カニューレ２１のノズル２１ｂから排出される。
【００４４】
そして、しばらくエアーポンプ８が稼働すると、前記水素室Ａとポンプ室Ｃとの間に設けた逆止弁６から前記水素室Ａに溜まった水素が流入し、その水素が前記水素室Ａに還流し、その水素と前記水素室Ａの水素と混合されて濃度の高い水素が鼻腔カニューレ２１のノズル２１ｂから排出される。
その際、前記逆止弁６は管内流出抵抗力よりも強い圧力で該ポンプ室Ｃの方向のみに開くので、前記逆止弁６からポンプ室Ｃへ入る量よりも鼻腔カニューレ２１から出る量の方がより多くなって発生した水素の殆どは鼻腔カニューレ２１から排出されることとなる。
この結果、鼻腔カニューレ２１のノズル２１ｂを鼻腔に向けて固定しておくと、濃度の高い水素が呼吸するたびに肺に吸入されることとなる。
【００４５】
なお、エアーポンプ８で前記水素室Ａの気圧が高められるので、水素吐出孔４を複数設けて鼻腔カニューレ２１を複数接続し、複数の鼻腔カニューレ２１を複数の人に装着して各人が同時に水素を吸入することが可能となる。
【産業上の利用可能性】
【００４６】
本発明は 持ち運んで卓上で使用することを想定した小型軽量の卓上型の水素吸引装置であるが、持ち運びは行わずに多数の人への供給を同時に行えるように室内に設置する水素吸引装置として大型化して利用することもできる。
【符号の説明】
【００４７】
１  縦筒体
１ａ  上面
１ｂ  底面
１ｃ  外周面
２  隔壁
２ａ  隔壁の上部
２ｂ  隔壁の下部
３  本体容器
３ａ  外周側面
３ｂ  底面
３ｃ  上面
３ｄ  縦筒体固定部
４  水素吐出孔
５  電解ユニット
６  逆止弁
７  送気管
７ａ  先端部
７ｂ  基端部
８  エアーポンプ
９  酸素排出孔
１０  オゾンを酸素に変換させる接触材
１１  酸素排出管
１１ａ  基端部
１１ｂ  先端部
１２、１３  電線
１４  制御部
１４ａ  コントロール回路基板
１５  ＤＣジャック
１６、１７  電線
１８  注水口
１９  蓋
２０  オゾン反応室
２１  鼻腔カニューレ
２１ａ  鼻腔装着部
２１ｂ  ノズル
２１ｃ  チューブ
２１ｄ  コネクタ
２２  マイナス電極
２３  プラス電極
２４  高分子膜
２５  棒状挟持体
２６  棒状挟持体
２７  ケーシング
２８  コイルスプリング
２９  開口部
３０  固定ネジ
３１  送気管支持部
３２  電源線
３３  逆止弁
３４  水位上限センサー
３５  水位下限センサー
３６  警告部
３７  水位警告回路
Ａ  水素室
Ｂ  酸素室
Ｃ  ポンプ室
Ｗ  水
Ｌ１  水素室の水位
Ｌ２  酸素室の水位
【図１】
2018183527.tif 000004
【図２】
2018183527.tif 000005
【図３】
2018183527.tif 000006
【図４】
2018183527.tif 000007